(57)【特許請求の範囲】
【請求項１】
収納空間の天井面の下方に天井面と平行な天板を収納空間の左右両側の側面間に亙るように架設し、天板の下方に天板とで略Ｔ字状を構成するように中仕切り板を立設した収納装置において、天板の左右方向の一端を背面に取り付けたブラケットにて支持すると共に中仕切り板を収納空間の巾方向の中央より天板の他端側に偏らせて中仕切り板にて天板を支持し、ブラケットと中仕切り板との間にハンガーパイプを架設して成ることを特徴とする収納装置。
【請求項２】
中仕切り板で左右に仕切った巾の狭い方である一方のスペースの両側に側板を配置すると共に両側の側板間に複数枚の棚板を架設し、両側の側板と上下の棚板で囲まれる空間の大きさを、中仕切り板で仕切った巾の広い方である他方のスペースに配置した引き出しユニットの引き出しの大きさに合わせて成ることを特徴とする請求項１記載の収納装置。
【請求項３】
中仕切り板で左右に仕切った巾の狭い方である一方のスペースの両側に側板を配置すると共に両側の側板間に棚板を架設し、棚板の前部を中仕切り板の前端より前方に突出させて成ることを特徴とする請求項１または請求項２記載の収納装置。
【発明の詳細な説明】
【０００１】
【発明の属する技術分野】
本発明は建物に組み込まれたクローゼットのような収納装置に関するものである。
【０００２】
【従来の技術】
この種の収納装置では収納空間の天井面の下方に天井面と平行な天板が収納空間の左右両側の側面間に亙るように架設され、天板の下方に天板とで略Ｔ字状を構成するように中仕切り板が立設され、天板と中仕切り板とで収納空間内が複数のスペースに仕切られるようになっている。
【０００３】
【発明が解決しようとする課題】
ところが、中仕切り板は収納空間の巾方向の中央で立設されるために天板の左右方向の中央しか支持できす、天板を水平に架設したとき天板の左右方向の端部を支持部材で支持しなければならなく、無駄ができてコスト的に高く付くと共に施工性も悪いという問題がある。
【０００４】
本発明は上記の点に鑑みてなされたものであり、天板の一方側を支持部材で支持すると共に天板の他方側を中仕切り板で支持することができ、天板を無駄なく簡単に取り付けることができる収納装置を提供することを課題とするものである。
【０００５】
【課題を解決するための手段】
上記課題を解決するために本発明の請求項１の収納装置は、収納空間１の天井面２の下方に天井面２と平行な天板３を収納空間１の左右両側の側面４間に亙るように架設し、天板３の下方に天板３とで略Ｔ字状を構成するように中仕切り板５を立設した収納装置において、天板３の左右方向の一端を背面１３に取り付けたブラケット６ｂにて支持すると共に中仕切り板５を収納空間１の巾方向の中央より天板３の他端側に偏らせて中仕切り板５にて天板３を支持し、ブラケット６ｂと中仕切り板５との間にハンガーパイプ１７を架設して成ることを特徴とする。天板３の一端側をブラッケット６ｂで支持するが、天板３の他端側を中仕切り板５にて支持できて中仕切り板５を有効に利用して天板３を支持することができ、従来のように無駄ができず、コスト的に安価にできると共に施工も簡単にできる。
【０００６】
また本発明の請求項２の収納装置は、請求項１において、中仕切り板５で左右に仕切った巾の狭い方である一方のスペースＳ１の両側に側板７を配置すると共に両側の側板７間に複数枚の棚板８を架設し、両側の側板７と上下の棚板８で囲まれる空間１０の大きさを、中仕切り板５で仕切った巾の広い方である他方のスペースＳ２に配置した引き出しユニット１１の引き出し１１ａの大きさに合わせて成ることを特徴とする。引き出しユニット１１の引き出し１１ａを取り出して、この引き出し１１ａを棚板８上の空間１０に収めるという使用ができる。
【０００７】
また本発明の請求項３の収納装置は、請求項１または請求項２において、中仕切り板５で左右に仕切った巾の狭い方である一方のスペースＳ１の両側に側板７を配置すると共に両側の側板７間に棚板８を架設し、棚板８の前部を中仕切り板５の前端より前方に突出させて成ることを特徴とする。棚板８からの物品の取り出しがサイドからでもできて便利に使用できる。
【０００８】
【発明の実施の形態】
図１、図２に示すように収納空間１は前面を開口せる直方体状であり、天井面２、左右両側の側面４、床面１２及び背面１３で囲まれている。この収納空間１の前面の開口は一対の二つ折り扉１４にて開閉できるようになっている。天井面２の下方には所定の間隔を隔てて天井面２と平行になる天板３を配置してあり、左右の側面４間に亙るように架設してある。天板３と床面１２との間には天板３との間にＴ字状の部分を構成するように中仕切り板５を立設してある。この中仕切り板５を立設する位置は収納空間１の中央でなく、左の側面４から二つ折り扉１４の扉パネル１４ａの１枚分の巾だけ離れた位置であって、左側に偏っている。このように天板３と中仕切り板５を取り付けることで中仕切り板５の左側のスペースＳ１と中仕切り板５の右側のスペースＳ２と天板３の上のスペースＳ３とに仕切られる。天板３の右側の端部は背面１３に取り付けた支持部材６にて支持され、天板３の左側では左側の端部の手前の部分が中仕切り板５の上端で支持される。このように天板３を支持することで左側が中仕切り板５で支持できて天板３の支持に無駄な部材をなくしてコストダウンが図れると共に施工も容易にできる。上記支持部材６は図３に示すように取り付け金具６ａとブラケット６ｂとで構成されている。取り付け金具６ａは背面１３に沿わせられ、取り付け孔２２からビスのような固着具を背面１３に打入することで取り付けられる。この取り付け金具６ａには大径孔２３ａと小径孔２３ｂとよりなるだるま孔２３を上下に穿孔してある。ブラケット６ｂの背面には係止突部２４が一体に設けられており、係止突部２４を大径孔２３ａに挿通してスライドさせ、係止突部２４を小径孔３ｂに係止させることでブラケット６ｂが取り付け金具６ａに取り付けられるようになっている。ブラケット６ｂの上面の背部には引っ掛け部２５が設けられ、前部には取り付け孔２６が設けられており、天板３の背部の端部を引っ掛け部２５に引っ掛けると共に取り付け孔２６から天板３にビスのような固着具を打入することでブラケット６ｂに天板３が取り付けられている。ブラケット６ｂの前部の下部には保持部２７が設けられている。
【０００９】
天板３上のスペースＳ３は衣装ケース等を載せて収納することができるようになっている。天板３の前端縁には図４に示すように断面略円形の膨大部１５を長手方向に亙るように設けてあり、ハンガー１６の上部の引っ掛け部１６ａを膨大部１５に引っ掛けてハンガー１６を吊ることができるようになっている。スペースＳ２の上部で中仕切り板５と右の側面４の間には水平方向にハンガーパイプ１７を架設してある。このハンガーパイプ１７の左の端部は中仕切り板５の受け部１８にて受けてあり、ハンガーパイプ１７の右の端部は支持部材６の保持部２７に保持してある。スペースＳ２の下方には引き出しユニット１１を設置してあり、この引き出しユニット１１には複数種の引き出し１１ａ，１１ｂ，１１ｃを出し入れ自在に装着してある。引き出し１１ａ，１１ｃは上面以外に前面も開口したものであり、引き出し１１ａ，１１ｃの前面には物品の落下を防止すると共に把手となるバー部材１９を装着してある。かかるバー部材１９は図５（ａ）に示すように水平方向に架設したものでも図５（ｂ）のように略逆Ｕ字状に曲げて装着したものであってもよい。また引き出し１１ａは引き出しユニット１１から引き出した後、図１の矢印ａのように引き出しユニット１１の上面に載置することもできる。
【００１０】
またスペースＳ１の両側には側板７を装着してあり、この両側の側板７間に複数枚の棚板８を平行に架設して棚ユニット２０を形成してある。この棚ユニット２０の両側の側板７の下端間にはハンガーパイプ２１を架設してある。この棚板ユニット２０の棚板８の上には物品を載せて収納できるようになっているが、棚板８の前部は中仕切り板５の前端より図６の符号ｂに示すように前方に突出している。このように棚板８の前部が中仕切り板５の前端より突出していると、棚板８に対する物品を取り出しがサイドからでもできる。また左右の側板７と上下の棚板８で囲まれる空間１０は上下に複数個設けられるが、この空間１０の大きさは引き出しユニット１１の引き出し１１ａと略同じ大きさになっている。そして引き出しユニット１１から引き出し１１ａを引き出した後に図１の矢印ｃに示すように引き出し１１ａを空間１０に入れて使用することができるようになっている。
【００１１】
次に図７に示す例について述べる。本例の場合も上記例と基本的に同じであり、異なる点だけを述べる。本例の場合、上下方向に長くて上下方向に亙る移動ハンガー部材２８を収納空間１の前面に左右方向に移動自在に装着してある。本例の場合、移動ハンガー部材２８はＳ型のものであるが、図８（ａ）のようなＩ型でも図８（ｂ）のようなＣ型でもよい。また上記移動ハンガー部材２８は２個装着してある。また移動ハンガー部材２８には網棚２９、洋服用のハンガーバー３０、洗濯物を入れたりするランドリー袋３１、受け皿３２、ネクタイ掛けのような小物掛け３３、袋物を掛けるハンガーバー４６、網籠４７等を装着してある。移動ハンガー部材２８の上端には上走行部３４を装着してあり、移動ハンガー部材２８の下端には下走行部３５を装着してある。上走行部３４には図９（ａ）に示すように軸３６にてランナー３７を回転自在に装着してあり、下走行部３５には樹脂等で形成した球状の滑り部３８を設けてある。収納空間１の前面開口の上下には上枠３９と下枠４０を装着してあり、上枠３９と下枠４０との間に上記二つ折り扉１４を開閉自在に装着してある。図１０に示すように上枠３９の収納空間１内側には上枠３９に沿って上レール４１を装着してあり、下枠４０の収納空間１内側には下枠４０に沿って下レール４２を装着してある。そして上レール４１にランナー３７を走行自在に嵌めると共に下レール４２に滑り部３８を摺動自在に嵌めることで移動ハンガー部材２８が左右方向に移動自在に装着されている。
【００１２】
また図１１は他の例を示すものである。上記例ではクローゼットのような収納装置であるが、本例の場合押し入れのような収納装置である。本例のものも上記例と基本的に同じであるが、収納空間１のスペースＳ２の下部に上記のような引き出しユニット１１を設ける代わりに布団収納棚４３を設けてあり、布団収納棚４３に布団４５を収納することができるようになっている。
【００１３】
【発明の効果】
本発明の請求項１の発明は、収納空間の天井面の下方に天井面と平行な天板を収納空間の左右両側の側面間に亙るように架設し、天板の下方に天板とで略Ｔ字状を構成するように中仕切り板を立設した収納装置において、天板の左右方向の一端を背面に取り付けたブラケットにて支持すると共に中仕切り板を収納空間の巾方向の中央より天板の他端側に偏らせて中仕切り板にて天板を支持しているので、天板の一端側をブラケットで支持するが、天板の他端側を中仕切り板にて支持できて中仕切り板を有効に利用して天板を支持することができ、従来のように無駄ができず、コスト的に安価にできると共に施工も簡単にできるものである。
【００１４】
また本発明の請求項２の発明は、請求項１において、中仕切り板で左右に仕切った巾の狭い方である一方のスペースの両側に側板を配置すると共に両側の側板間に複数枚の棚板を架設し、両側の側板と上下の棚板で囲まれる空間の大きさを、中仕切り板で仕切った巾の広い方である他方のスペースに配置した引き出しユニットの引き出しの大きさに合わせているので、引き出しユニットの引き出しを取り出して、この引き出しを棚板上の空間に収めるという使用ができるものである。
【００１５】
また本発明の請求項３の発明は、請求項１または請求項２において、中仕切り板で左右に仕切った巾の狭い方である一方のスペースの両側に側板を配置すると共に両側の側板間に棚板を架設し、棚板の前部を中仕切り板の前端より前方に突出させているので、棚板からの物品の取り出しがサイドからでもできて便利に使用できるものである。
【図面の簡単な説明】
【図１】本発明の一例の一部省略斜視図である。
【図２】同上の中仕切り板の位置を示し、（ａ）は収納空間の正面図、（ｂ）は二つ折り扉の展開した状態の正面図である。
【図３】同上の支持部材を示す分解斜視図である。
【図４】同上の天板の前端にハンガーを引っ掛ける状態を示す断面図である。
【図５】（ａ）（ｂ）は引き出しを示す斜視図である。
【図６】同上の棚ユニット部分を示し、（ａ）は一部切欠正面図、（ｂ）は側面図である。
【図７】同上の他例の一部省略斜視図である。
【図８】（ａ）（ｂ）は同上の形状の異なる移動ハンガー部材の斜視図である。
【図９】（ａ）は同上の上走行具部分の斜視図、（ｂ）は下走行具部分の斜視図である。
【図１０】同上の移動ハンガー部材を走行自在に支持する部分の断面図である。
【図１１】同上の他例の断面図である。
【符号の説明】
１  収納空間
２  天井面
３  天板
４  側面
５  中仕切り板
６  支持部材
７  側板
８  棚板
１０  空間
１１  引き出しユニット
１１ａ  引き出し
【図１】
0003562345.tif 000002
【図２】
0003562345.tif 000003
【図３】
0003562345.tif 000004
【図４】
0003562345.tif 000005
【図５】
0003562345.tif 000006
【図６】
0003562345.tif 000007
【図７】
0003562345.tif 000008
【図８】
0003562345.tif 000009
【図９】
0003562345.tif 000010
【図１０】
0003562345.tif 000011
【図１１】
0003562345.tif 000012